(57)【要約】【課題】情報シートを貼着し易くした容器を提供すること。【解決手段】容器１は、ブロー成形により形成される。容器１は、情報シート５を貼り付ける貼付面４２１ａを有する貼付部４２１と、貼付部４２１に貼り付けられた情報シート５に覆われる溝部４２２と、が形成されたピンチオフ端部を有する。また、溝部４２２内には、貼付面４２１ａよりも低く突出したピンチオフ突部４２２ｄが形成される。【選択図】図２
2020121744.tif 000002
【特許請求の範囲】
【請求項１】
ブロー成形により形成される容器であって、
情報シートを貼り付ける貼付面を有する貼付部と、前記貼付部に貼り付けられた前記情報シートに覆われる溝部とが形成されたピンチオフ端部を有し、
前記溝部内には、前記貼付面よりも低く突出したピンチオフ突部が形成される、
ことを特徴とする容器。
【請求項２】
前記貼付部は、長尺状に形成され、
前記溝部は、前記貼付部を短尺方向に横断して前記貼付面を離隔する、
ことを特徴とする請求項１に記載の容器。
【請求項３】
前記ピンチオフ端部は、前記貼付部の外周を環状に突出して形成された接地部を有することを特徴とする請求項１又は請求項２に記載の容器。
【請求項４】
前記溝部は、前記貼付部よりも外側において傾斜部を有し、
前記ピンチオフ突部は、前記傾斜部間に亘って形成される、
ことを特徴とする請求項１乃至請求項３の何れかに記載の容器。
【請求項５】
前記ピンチオフ端部は底部に設けられ、
前記情報シートはＲＦＩＤタグである、
ことを特徴とする請求項１乃至請求項４の何れかに記載の容器。
【発明の詳細な説明】
【技術分野】
【０００１】
本発明は、容器に関する。
【背景技術】
【０００２】
従来から、ＩＣタグ等の情報シートが貼着された容器が提案されている。例えば、特許文献１には、ＩＣタグを有するタックラベルを具備したＩＣタグ付き容器が開示されている。この容器のタックラベルは、粘着層を介して容器の底部に形成された凹み部に貼付され、且つその凹み部によって形成される底面の空間部内に収められている。
【先行技術文献】
【特許文献】
【０００３】
【特許文献１】特許第４９１３８９４号
【発明の概要】
【発明が解決しようとする課題】
【０００４】
しかしながら、ＩＣタグを貼着させる上述のような容器をブロー成形により形成した場合、容器の底面等には成形金型のピンチオフ部より突起部が形成されることがある。このような部位にＩＣタグ等を貼着させると、容器の取り扱いによってはＩＣタグが突起部と擦れて損傷したり剥がれ易くなったりすることが想定される。
【０００５】
本発明は、情報シートを貼着し易くした容器を提供することを目的とする。
【課題を解決するための手段】
【０００６】
本発明の容器は、ブロー成形により形成される容器であって、情報シートを貼り付ける貼付面を有する貼付部と、前記貼付部に貼り付けられた前記情報シートに覆われる溝部とが形成されたピンチオフ端部を有し、前記溝部内には、前記貼付面よりも低く突出したピンチオフ突部が形成される、ことを特徴とする。
【発明の効果】
【０００７】
本発明によれば、情報シートを貼着し易くした容器を提供することができる。
【図面の簡単な説明】
【０００８】
【図１】本発明の実施形態に係る容器を底部側から見た斜視図である。
【図２】本発明の実施形態に係る容器底部の拡大斜視図である。
【図３】本発明の実施形態に係る容器の図２におけるＩＩＩ−ＩＩＩ断面図である。
【図４】本発明の実施形態に係る容器の図１におけるＩＶ−ＩＶ断面図である。
【図５】本発明の実施形態に係る容器の成形の様子を示す図である。
【図６】本発明の実施形態に係る容器の貼付部に情報シートとしてＲＦＩＤタグを貼り付けたＩＩＩ−ＩＩＩ断面図である
【発明を実施するための形態】
【０００９】
次に、本発明の実施形態を図面に基づいて説明する。図１に示す容器１は、有底の略円筒状に形成される。容器１の円筒軸方向の一端側には、円形の開口部３が形成される。容器１は円筒状の胴部２を有する。胴部２の開口部３側には、胴部２の内径が徐々に縮径されるように外形略円錐状に傾斜した肩部２１が形成される。また、容器１は、開口部３の反対側に底部４を有する。
【００１０】
本実施形態の容器１は、例えば、バイアル容器として多層のダイレクトブロー成形により形成される。また、容器１は、内部に医療用薬液等を充填して、開口部３をゴム栓等の蓋体（不図示）により封止することができる。容器１は、内層側から外層側に向かって、シクロオレフィンポリマー（ＣＯＰ）を含む内層２０１、エチレン−ビニルアルコール共重合体（ＥＶＯＨ）を含むバリア層２０３、及びポリエチレンテレフタレート（ＰＥＴ）を含む外層２０５により多層形成することができる（図５も参照）。容器１の外形は、円筒状のパリソン２００を分割金型６，７によりピンチオフして圧縮空気を導入することで形成される。本実施形態の容器１は、開口部３側及び底部４側がピンチオフされて成形される。
【００１１】
図１に示すように、ピンチオフ端部側である底部４には、ＲＦＩＤタグ等の情報シート５が貼着される。ＲＦＩＤタグとしては、ＩＳＯ／ＩＥＣ１８０００−６Ｃに準拠したＵＨＦ帯（例えば９１０〜９２０ＭＨｚ）のＲＦＩＤタグを利用することができる。情報シート５は、容器１や内容物に関する製造情報や流通情報等を記憶して情報管理に利用することができる。
【００１２】
図２は、底部４の拡大斜視図である。底部４には、胴部２の外周側において略円環状に突出した接地部４１と、接地部４１の内側に形成された略円形の凹部４２とが形成される。接地部４１と凹部４２とは略擂鉢状の環状傾斜部４３を介して接続される。凹部４２は、底面視長矩形状に窪んだ貼付部４２１と、長尺状の貼付部４２１を短尺方向に横断するように２つの貼付面４２１ａに離隔する溝部４２２と、を有する。貼付面４２１ａも長矩形状に形成される。また、凹部４２には、外形を略円形として貼付部４２１及び溝部４２２により離隔された、略円形状の底面４２３が形成される。
【００１３】
貼付部４２１の貼付面４２１ａは、底面４２３よりも低くなるように（すなわち容器１の内側に窪んで位置するように）形成される。貼付部４２１の外周には、略矩形枠状に傾斜部４２４が形成される。貼付部４２１は、傾斜部４２４を介して、底面４２３又は環状傾斜部４３と接続される。
【００１４】
貼付部４２１の長尺方向に形成される傾斜部４２４ａは、底面４２３と接続され、貼付部４２１の短尺方向に形成される傾斜部４２４ｂは、環状傾斜部４３と接続される。また、傾斜部４２４ａと傾斜部４２４ｂとが接続される角部には、傾斜部４２４ａ及び傾斜部４２４ｂよりも接地部４１側に延設された延伸傾斜部４２４ｃが形成される。延伸傾斜部４２４ｃは底面視略三角形状に形成される。
【００１５】
溝部４２２は略直線状に形成される。溝部４２２の長尺方向の両端は、接地部４１の頂部に設けられた窪み部４２５と接続される。窪み部４２５は、接地部４１の頂部を離隔するように形成される。窪み部４２５は、図３のＩＩＩ−ＩＩＩ断面視において凹湾曲状に形成される。
【００１６】
溝部４２２の内面は、図３のＩＩＩ−ＩＩＩ断面図に示すように断面視略凹円弧状に形成される。また、溝部４２２は、図２に示すように、貼付部４２１と隣接する幅狭の内側溝部４２２ａと、内側溝部４２２ａよりも幅広であって貼付部４２１と接続しない外側溝部４２２ｂとを有する。内側溝部４２２ａの内側面４２２ａ１は、貼付面４２１ａに対して傾斜している（図３参照）。内側面４２２ａ１の傾斜角度は、傾斜部４２４ａ，４２４ｂ及び環状傾斜部４３の貼付面４２１ａに対する傾斜角度よりも大きく形成される。このように内側面４２２ａ１を溝部４２２の底部から貼付部４２１側へ向けて急峻に傾斜させると、溝部４２２は貼付部４２１の貼付面４２１ａに対して狭い幅で且つ深く形成することができる。したがって、貼付部４２１全体のうち、貼付面４２１ａが占める面積を広くすることができ、情報シート５の接着面積を広く確保することができる。外側溝部４２２ｂは、傾斜部４２２ｃを介して窪み部４２５と接続される。傾斜部４２２ｃは、底面視において接地部４１側に側辺が広がる略二等辺三角形状の斜面を有し、環状傾斜部４３よりも緩やかに傾斜している。
【００１７】
また、溝部４２２内には、貼付面４２１ａよりも低く突出したピンチオフ突部４２２ｄが形成される。ピンチオフ突部４２２ｄは、対向する傾斜部４２２ｃ間に亘って延設される。ピンチオフ突部４２２ｄは、図４に示すように、内側溝部４２２ａにおいては略一定高さで延設されており、外側溝部４２２ｂにおいては窪み部４２５側へ向かうに従って傾斜部４２２ｃの斜面に対して徐々に低くなるように形成される。また、ピンチオフ突部４２２ｄは、貼付部４２１の端部４２１ｂにおいても、貼付面４２１ａより低く形成される。
【００１８】
また、ピンチオフ突部４２２ｄは、図３において断面視略矩形状に示しているが、成型時のパリソン２００のピンチオフにより山形状とされる場合もある。ピンチオフ突部４２２ｄは、ＩＩＩ−ＩＩＩ断面視において溝部４２２の略中央側に形成される。ピンチオフ突部４２２ｄの幅は、溝部４２２の幅に対して１／４〜１／３程度に形成することができる。
【００１９】
図５は、ダイレクトブロー成形により容器１を形成する様子を示す図である。なお図５では、分割金型６，７を閉じてピンチオフ部６１，７１で円筒状のパリソン２００を挟み、容器１に突起（ピンチオフ突部４２２ｄ）を形成する様子を示している。
【００２０】
分割金型６，７のピンチオフ部６１，７１の当接部には、分割金型６，７の内面に対して窪んだ段部６１１，７１１が形成されている。この段部６１１，７１１は、分割金型６，７の内面に対して突出した突出部６１２，７１２上に形成されている。分割金型６，７の型締め後、パリソン２００は内部に空気が導入されて膨らみ、図５の二点鎖線（図５のＡ部拡大図では実線）で示すように分割金型６，７内のキャビティ内面に沿って容器１の外形が形成される。本実施形態のパリソン２００は、多層により形成される。パリソン２００は、Ａ部拡大図に示すように、シクロオレフィンポリマーを含む内層２０１、エチレン−ビニルアルコール共重合体を含むバリア層２０３、及びポリエチレンテレフタレートを含む外層２０５を有する。内層２０１とバリア層２０３との間、及びバリア層２０３と外層２０５との間には、それぞれ接着層２０２，２０４が形成される。本実施形態では、内層２０１が０．８ｍｍ、バリア層２０３が０．１ｍｍ、外層２０５が１ｍｍの厚みとなるように形成される。また、接着層２０２，２０４は０．０５ｍｍの厚みに形成される。
【００２１】
段部６１１，７１１は、パリソン２００をピンチオフする際に各層２０１，２０３，２０５の溶着部２００ａにおける溶着面積を広くして、ピンチオフ突部４２２ｄの溶着強度を高めることができる。ブローアップ後のパリソン２００の各層２０１，２０３，２０５は、Ａ部拡大図に示すように溶着部２００ａにおいても略連続するように形成される。また、図５に示すように、段部６１１，７１１の深さは、突出部６１２，７１２の高さよりも浅く形成されるため、図３等に示す容器１のピンチオフ突部４２２ｄは、溝部４２２内において貼付面４２１ａよりも低く形成することができる。ピンチオフ突部４２２ｄの高さｔ１（図６も参照）は、パリソン２００の溶着強度を高くするために所定の高さ以上に形成される。一方、高さｔ１を大きくすると、ピンチオフ突部４２２ｄを貼付面４２１ａより低くするために、溝部４２２の深さｄ２も深くする必要ある。しかし、深さｄ２が深いと、分割金型６，７の型開きの際に、容器１と分割金型６，７との干渉が大きくなり、容器１を損傷させたり取出しが困難となることが想定される。これらを考慮すると、高さｔ１は、０．５ｍｍ以上であって５ｍｍ以下（好ましくは２ｍｍ以下）にすると好適である。
【００２２】
図２に戻り、貼付部４２１の貼付面４２１ａには、情報シート５（図１も参照）を貼り付ることができる。情報シート５は、長矩形状に形成することができ、その長尺方向を貼付部４２１の長尺方向と略一致するように配置することができる。本実施形態では、貼付面４２１ａが平坦状であるため、情報シート５の貼付面積を広くすることができ、情報シート５の貼り付けを安定させ、高い貼着力を得ることができる。また、溝部４２２内に形成されたピンチオフ突部４２２ｄが貼付面４２１ａよりも低く形成されるためピンチオフ突部４２２ｄは情報シート５と干渉することが無く、情報シート５が容器１の使用による摩擦等で損傷することを防ぐことができる。
【００２３】
図６は、図３のＩＩＩ−ＩＩＩ断面図において、貼付部４２１に情報シート５としてＲＦＩＤタグを貼り付けた様子を示す図である。本実施形態の貼付部４２１の外形（図１も参照）は、１３ｍｍ×２３ｍｍの略長矩形状に形成される。また、貼付部４２１の底面４２３に対する凹み代ｄ１は０．６ｍｍに形成される。また、溝部４２２のうち内側溝部４２２ａにおける幅ｗ１は３ｍｍ、溝部４２２の深さｄ２は１．５ｍｍに形成される。したがって、ピンチオフ突部４２２ｄの高さｔ１は、深さｄ２より小さい０．８ｍｍに形成される。内側溝部４２２ａの幅ｗ１（図６参照）は、ＩＩＩ−ＩＩＩ断面図における情報シート５の溝部４２２を横断する方向の幅に対して、三分の一以下とすることが好ましい。例えば、本実施形態の情報シート５の外形形状（図１も参照）は、１２ｍｍ×２４ｍｍの略長矩形状に形成される。したがって、内側溝部４２２ａの幅ｗ１は８ｍｍ以下に設定される。
【００２４】
情報シート５は、図６のＢ部拡大図に示すように、貼付部４２１側から順にＰＥＴ５２、アンテナ５３、ＩＣタグ５４及び保護層５５による層構造に形成され、ＰＥＴ５２は、接着層５１により貼付部４２１の貼付面４２１ａに貼付られる。また、情報シート５の全体厚みｔ２は０．５ｍｍに形成される。本実施形態では、貼付部４２１の凹み代ｄ１を情報シート５の厚みｔ２以上としたため、容器１の使用等により情報シート５の外周縁部が引っ掛かり、情報シート５が貼付部４２１から剥がれることを防止できる。なお、ＲＦＩＤタグによっては、アンテナ５３及びＩＣタグ５４を並設させて、厚みｔ２方向において同層に配置してもよい。
【００２５】
また、情報シート５の外周縁から、貼付部４２１の外周縁までの隙間ｇ１は、小さすぎると、情報シート５を貼付部４２１に貼り付けることが難しくなる。一方で、隙間ｇ１が大きすぎると、情報シート５の外周縁部が引っ掛かり、情報シート５が貼付部４２１から剥がれ易くなることが想定される。これらを考慮すると、隙間ｇ１は、０．２ｍｍ以上であって５ｍｍ以下が好ましい。また、貼付部４２１の外形寸法は、成形後の収縮により小さくなる場合も想定されるため、このように隙間ｇ１を設けることで貼付部４２１が情報シート５の外形寸法よりも小さくなり、情報シート５の貼り付けが困難となることを防ぐことができる。
【００２６】
なお、情報シート５の接着層５１は、全面に設けてもよいし、貼付面４２１ａと接する一部に設けてもよい。例えば、図６に示すように、情報シート５は、接着層５１を、貼付面４２１ａと対応する箇所に設け、溝部４２２と対応する箇所に設けない構成とすることにより、情報シート５と溝部４２２との間の隙間にゴミや埃が入り込み、溝部４２２側に露出した接着層５１の部分に付着することを抑制することができる。
【００２７】
以上、本発明の実施形態を説明したが、本発明は各実施形態により限定されることは無く、種々の変更を加えて実施することができる。例えば、情報シート５としては、一次元コード、二次元コード又はカラーコード等の符号化された図柄や、文字情報等を表示したシート状物を利用してもよい。
【００２８】
また、溝部４２２は、貼付部４２１に対するピンチオフ突部４２２ｄの位置によっては、貼付部４２１の一部を切り欠くように設けて、溝部４２２の一端部が容器１の底面視において貼付部４２１内に位置するように形成してもよい。或いは、溝部４２２は、容器１の底面視において、貼付部４２１内に含まれるように形成してもよい。この場合、溝部４２２は、貼付部４２１に貼り付けられた情報シート５に全体が覆われるように配置することができる。
【００２９】
また、本実施形態では、ピンチオフ端部を底部４とした例について説明したが、ピンチオフ端部は容器の上面や側面等その他の位置としてもよい。
【符号の説明】
【００３０】
１        容器                          ２        胴部
３        開口部                        ４        底部
５        情報シート                    ６        分割金型
７        分割金型                      ２１      肩部
４１      接地部                        ４２      凹部
４３      環状傾斜部                    ６１      ピンチオフ部
７１      ピンチオフ部                  ２００    パリソン
２００ａ  溶着部                        ２０１    内層
２０２    接着層                        ２０３    バリア層
２０４    接着層                        ２０５    外層
４２１    貼付部                        ４２１ａ  貼付面
４２１ｂ  端部                          ４２２    溝部
４２２ａ  内側溝部                      ４２２ａ１  内側面
４２２ｂ  外側溝部                      ４２２ｃ  傾斜部
４２２ｄ  ピンチオフ突部                ４２３    底面
４２４    傾斜部                        ４２４ａ  傾斜部
４２４ｂ  傾斜部                        ４２４ｃ  延伸傾斜部
４２５    窪み部                        ６１１    段部
６１２    突出部                        ７１１    段部
７１２    突出部
ｄ１      凹み代                        ｄ２      深さ
ｇ１      隙間                          ｔ１      高さ
ｔ２      厚み                          ｗ１      幅
【図１】
2020121744.tif 000003
【図２】
2020121744.tif 000004
【図３】
2020121744.tif 000005
【図４】
2020121744.tif 000006
【図５】
2020121744.tif 000007
【図６】
2020121744.tif 000008